(57)【要約】      （修正有）【課題】手提袋として使用した後にクリアファイル等を立てておくことができるファイルスタンドとして再利用することができるファイルスタンドに利用可能な手提袋を提供する。【解決手段】ファイルスタンドに利用可能な手提袋１０の袋本体部は、第１シート１４と、第２シート１６と、第１シート１４と第２シート１６の一側に形成された第１側部シート１８と、第１シート１４と第２シート１６の他側に形成された第２側部シート２０と、底部２２を有している。袋本体部の上面には開口部が形成されている。前記第２側部シート２０の上下方向中間部には第２側部シート切断ミシン目線５６が形成されている。また、前記第１シート１４には第１シート切断ミシン目線６０が形成され、前記第２シート１６には第２シート切断ミシン目線６２が形成されている。【選択図】図２
0003185015.tif 000002
【実用新案登録請求の範囲】
【請求項１】
第１シートと、この第１シートと対向して形成された第２シートと、前記第１シートと前記第２シートの一側に形成された第１側部シートと、前記第１シートと前記第２シートの他側に形成されると共に前記第１側部シートと対向して形成された第２側部シートと、下面に形成された底部と、上面に形成された開口部と、を備えたファイルスタンドに利用可能な手提袋であって、
前記第１シートの一側に上下方向に向かって形成された第１側部シート第１形成片折線を介して形成された第１側部シート第１形成片と、前記第１シートの他側に上下方向に向かって形成された第２側部シート折線を介して形成された前記第２側部シートと、この第２側部シートの他側に上下方向に向かって形成された第２シート折線を介して形成された前記第２シートと、この第２シートの他側に上下方向に向かって形成された第１側部シート第２形成片折線を介して形成されると共に前記第１側部シート第１形成部と前記第１側部シートを形成する第１側部シート第２形成片と、前記第２側部シートの上下方向中間部に左右方向に向かって形成された第２側部シート切断ミシン目線と、前記第１シートに左右方向に向かって形成されると共に前記第２側部シート切断ミシン目線の一端部まで延設された第１シート切断ミシン目線と、前記第２シートに左右方向に向かって形成されると共に前記第２側部シート切断ミシン目線の他端部まで延設された第２シート切断ミシン目線と、を有してなることを特徴とするファイルスタンドに利用可能な手提袋。
【請求項２】
第１シートと、この第１シートと対向して形成された第２シートと、前記第１シートの上部に形成された第１把手開口部と、前記第２シートの上部に形成されると共に前記第１把手開口部と対向して形成された第２把手開口部と、前記第１シートと前記第２シートの一側に形成された第１側部シートと、前記第１シートと前記第２シートの他側に形成されると共に前記第１側部シートと対向して形成された第２側部シートと、下面に形成された底部と、上面に形成された開口部と、を備えたファイルスタンドに利用可能な手提袋であって、
前記第１シートの一側に上下方向に向かって形成された第１側部シート第１形成片折線を介して形成された第１側部シート第１形成片と、前記第１シートの他側に上下方向に向かって形成された第２側部シート折線を介して形成された第２側部シートと、前記第２側部シートの他側に上下方向に向かって形成された第２シート折線を介して形成された前記第２シートと、この第２シートの他側に上下方向に向かって形成された第１側部シート第２形成片折線を介して形成されると共に前記第１側部シート第１形成片と前記第１側部シートを形成する第１側部シート第２形成片と、前記第２側部シートの上下方向中間部に左右方向に向かって形成された第２側部シート切断ミシン目線と、前記第１シートに左右方向に向かって形成されると共に前記第２側部シート切断ミシン目線の一端部まで延設された第１シート切断ミシン目線と、前記第２シートに左右方向に向かって形成されると共に前記第２側部シート切断ミシン目線の他端部まで延設された第２シート切断ミシン目線と、を有してなることを特徴とするファイルスタンドに利用可能な手提袋。
【請求項３】
矩形状に形成された第１シートと、この第１シートと対向して形成されると共に第１シートと同じ大きさの矩形状に形成された第２シートと、前記第１シートの上部に形成された第１把手開口部と、前記第２シートの上部に形成されると共に前記第１把手開口部と対向して形成された第２把手開口部と、前記第１シートと前記第２シートの一側に形成された第１側部シートと、前記第１シートと前記第２シートの他側に形成されると共に前記第１側部シートと対向して形成された第２側部シートと、下面に形成された底部と、上面に形成された開口部と、を備えたファイルスタンドに利用可能な手提袋であって、
前記第１シートの上部に形成されると共に前記第１把手開口部を形成する略Ｕ字状の第１把手開口部形成スリットと、この第１把手開口部形成スリットに形成された一対の立上部の上端部間に形成された第１把手開口部形成折線と、前記第１シートの一側に上下方向に向かって形成された第１側部シート第１形成片折線を介して連続形成された第１側部シート第１形成片と、前記第１シートの他側に上下方向に向かって形成された第２側部シート折線を介して連続形成された前記第２側部シートと、この第２側部シートの他側に上下方向に向かって形成された第２シート折線を介して連続形成された前記第２シートと、この第２シートの上部に形成されると共に前記第２把手開口部を形成する略Ｕ字状の第２把手開口部形成スリットと、この第２把手開口部形成スリットに形成された一対の立上部の上端部間に形成された第２把手開口部形成折線と、前記第２シートの他側に上下方向に向かって形成された第１側部シート第２形成片折線を介して連続形成されると共に前記第１側部シート第１形成片と接着されて前記第１側部シートを形成する第１側部シート第２形成片と、この第１側部シート第２形成片の上部に形成された切込と、前記第２側部シートの上下方向中間部に左右方向に向かって形成された第２側部シート切断ミシン目線と、前記第１シートに形成され一端部が前記第１側部シート第１形成部まで延設され中間部が第１シートの左右方向に向かって形成された後に前記第２側部シート折線に沿って形成されて他端部が前記第２側部シート切断ミシン目線の一端部まで延設された第１シート切断ミシン目線と、前記第２シートに形成され一端部が前記切込まで延設され中間部が第２シートの左右方向に向かって形成された後に前記第２シート折線に沿って形成されて他端部が前記第２側部シート切断ミシン目線の他端部まで延設された第２シート切断ミシン目線と、を有してなることを特徴とするファイルスタンドに利用可能な手提袋。
【考案の詳細な説明】
【技術分野】
【０００１】
本考案は、パンフレット、カタログ、書類等を収容できる手提袋であって、詳しくは手提袋として使用した後にファイルスタンドに利用することが可能なファイルスタンドに利用可能な手提袋に関する。
【背景技術】
【０００２】
企業主催の展示会、博覧会等においては主催企業の企業案内や製品広告等を行うため、企業パンフレットや製品カタログ等を入れた手提袋を来場者に手渡す場合が多く見受けられる。
ところで、前記手提袋を持ち帰って中からパンフレットやカタログ等を取り出してしまうと手提袋は無用になり、手提袋を廃棄処分にする場合が圧倒的に多い。
従って、折角、製造された手提袋を廃棄処分にすることにより、手提袋を無駄にすると共に廃棄物を増大させ、さらには資源の無駄を招くという不具合がある。
【考案の概要】
【考案が解決しようとする課題】
【０００３】
本考案は、上記事実に鑑みなされたものであり、手提袋として使用した後にクリアファイル等を立てておくことができるファイルスタンドとして再利用することができるファイルスタンドに利用可能な手提袋を提供するものである。
【課題を解決するための手段】
【０００４】
請求項１の考案は、第１シートと、この第１シートと対向して形成された第２シートと、前記第１シートと前記第２シートの一側に形成された第１側部シートと、前記第１シートと前記第２シートの他側に形成されると共に前記第１側部シートと対向して形成された第２側部シートと、下面に形成された底部と、上面に形成された開口部と、を備えたファイルスタンドに利用可能な手提袋であって、
前記第１シートの一側に上下方向に向かって形成された第１側部シート第１形成片折線を介して形成された第１側部シート第１形成片と、前記第１シートの他側に上下方向に向かって形成された第２側部シート折線を介して形成された前記第２側部シートと、この第２側部シートの他側に上下方向に向かって形成された第２シート折線を介して形成された前記第２シートと、この第２シートの他側に上下方向に向かって形成された第１側部シート第２形成片折線を介して形成されると共に前記第１側部シート第１形成部と前記第１側部シートを形成する第１側部シート第２形成片と、前記第２側部シートの上下方向中間部に左右方向に向かって形成された第２側部シート切断ミシン目線と、前記第１シートに左右方向に向かって形成されると共に前記第２側部シート切断ミシン目線の一端部まで延設された第１シート切断ミシン目線と、前記第２シートに左右方向に向かって形成されると共に前記第２側部シート切断ミシン目線の他端部まで延設された第２シート切断ミシン目線と、を有してなることを特徴としている。
請求項２の考案は、第１シートと、この第１シートと対向して形成された第２シートと、前記第１シートの上部に形成された第１把手開口部と、前記第２シートの上部に形成されると共に前記第１把手開口部と対向して形成された第２把手開口部と、前記第１シートと前記第２シートの一側に形成された第１側部シートと、前記第１シートと前記第２シートの他側に形成されると共に前記第１側部シートと対向して形成された第２側部シートと、下面に形成された底部と、上面に形成された開口部と、を備えたファイルスタンドに利用可能な手提袋であって、
前記第１シートの一側に上下方向に向かって形成された第１側部シート第１形成片折線を介して形成された第１側部シート第１形成片と、前記第１シートの他側に上下方向に向かって形成された第２側部シート折線を介して形成された第２側部シートと、前記第２側部シートの他側に上下方向に向かって形成された第２シート折線を介して形成された前記第２シートと、この第２シートの他側に上下方向に向かって形成された第１側部シート第２形成片折線を介して形成されると共に前記第１側部シート第１形成片と前記第１側部シートを形成する第１側部シート第２形成片と、前記第２側部シートの上下方向中間部に左右方向に向かって形成された第２側部シート切断ミシン目線と、前記第１シートに左右方向に向かって形成されると共に前記第２側部シート切断ミシン目線の一端部まで延設された第１シート切断ミシン目線と、前記第２シートに左右方向に向かって形成されると共に前記第２側部シート切断ミシン目線の他端部まで延設された第２シート切断ミシン目線と、を有してなることを特徴としている。
請求項３の考案は、矩形状に形成された第１シートと、この第１シートと対向して形成されると共に第１シートと同じ大きさの矩形状に形成された第２シートと、前記第１シートの上部に形成された第１把手開口部と、前記第２シートの上部に形成されると共に前記第１把手開口部と対向して形成された第２把手開口部と、前記第１シートと前記第２シートの一側に形成された第１側部シートと、前記第１シートと前記第２シートの他側に形成されると共に前記第１側部シートと対向して形成された第２側部シートと、下面に形成された底部と、上面に形成された開口部と、を備えたファイルスタンドに利用可能な手提袋であって、
前記第１シートの上部に形成されると共に前記第１把手開口部を形成する略Ｕ字状の第１把手開口部形成スリットと、この第１把手開口部形成スリットに形成された一対の立上部の上端部間に形成された第１把手開口部形成折線と、前記第１シートの一側に上下方向に向かって形成された第１側部シート第１形成片折線を介して連続形成された第１側部シート第１形成片と、前記第１シートの他側に上下方向に向かって形成された第２側部シート折線を介して連続形成された前記第２側部シートと、この第２側部シートの他側に上下方向に向かって形成された第２シート折線を介して連続形成された前記第２シートと、この第２シートの上部に形成されると共に前記第２把手開口部を形成する略Ｕ字状の第２把手開口部形成スリットと、この第２把手開口部形成スリットに形成された一対の立上部の上端部間に形成された第２把手開口部形成折線と、前記第２シートの他側に上下方向に向かって形成された第１側部シート第２形成片折線を介して連続形成されると共に前記第１側部シート第１形成片と接着されて前記第１側部シートを形成する第１側部シート第２形成片と、この第１側部シート第２形成片の上部に形成された切込と、前記第２側部シートの上下方向中間部に左右方向に向かって形成された第２側部シート切断ミシン目線と、前記第１シートに形成され一端部が前記第１側部シート第１形成部まで延設され中間部が第１シートの左右方向に向かって形成された後に前記第２側部シート折線に沿って形成されて他端部が前記第２側部シート切断ミシン目線の一端部まで延設された第１シート切断ミシン目線と、前記第２シートに形成され一端部が前記切込まで延設され中間部が第２シートの左右方向に向かって形成された後に前記第２シート折線に沿って形成されて他端部が前記第２側部シート切断ミシン目線の他端部まで延設された第２シート切断ミシン目線と、を有してなることを特徴としている。
【考案の効果】
【０００５】
本考案のファイルスタンドに利用可能な手提袋は、手提袋として使用することができると共に手提袋とした後にファイルスタンドとして再利用することができるという優れた効果を有する。
本考案のファイルスタンドに利用可能な手提袋は、手提袋として使用した後にファイルスタンドに利用することができるので、廃棄物を少なくすることができると共に資源の無駄を少なくすることができるという優れた効果を有する。
【図面の簡単な説明】
【０００６】
【図１】実施例のファイルスタンドに利用可能な手提袋の正面図である。
【図２】実施例のファイルスタンドに利用可能な手提袋の展開図図である。
【図３】実施例のファイルスタンドに利用可能な手提袋をファイルスタンドに利用した場合の斜視図である。
【考案を実施するための形態】
【０００７】
考案を実施するために最良の形態の例として以下のような実施例を示す。
【実施例１】
【０００８】
図１〜図３には本考案に係るファイルスタンドに利用可能な手提袋の一実施例が示されている。
図１及び図２に示されるように、ファイルスタンドに利用可能な手提袋１０はシート状に形成されると共に外側面にコーティングが施された紙１２で一体形成されている。
このファイルスタンドに利用可能な手提袋１０の袋本体部１３は第１シート１４と、この第１シート１４と対向して形成された第２シート１６と、第１シート１４と第２シート１６の一側に形成された第１側部シート１８と、第１シート１４と第２シート１６の他側に形成されると共に前記第１側部シート１８と対向して形成された第２側部シート２０と、底部２２を有している。
前記袋本体部１３の上面には開口部２４が形成され袋本体部１３にパンフレットやカタログ等を収容できるようになっている。
前記第１シート１４の上部には第１把手開口部２６が形成され、前記第２シート１６の上部には第１把手開口部２６と対向して第２把手開口部２８が形成されている。
図２にはファイルスタンドに利用可能な手提袋１０が外側面を手前側にした状態の展開図が示されている。
前記袋本体部１３を形成する前記第１シート１４は縦長の矩形状に形成されている。この第１シート１４の上部には前記第１把手開口部２６を形成する略Ｕ字状の第１把手開口部形成スリット３０が形成されている。この第１把手開口部形成スリット３０の立上部３０Ａ，３０Ａは上下方向に向かって形成されている。また、立上部３０Ａの上端部と立上部３０Ａの上端部の間には第１把手開口部形成折線３２が左右方向に向かって形成されている。
前記第１シート１４の下部には左右方向に向かって形成された底部第１形成片折線３４を介して前記底部２２を形成する底部第１形成片２２Ａが連続形成されている。
前記第１シート１４の一側には上下方向に向かって形成された第１側部シート第１形成片折線３６を介して前記第１側部シート１８を形成する第１側部シート第１形成片１８Ａが連続形成されている。この第１側部シート第１形成片１８Ａの下部には左右方向に向かって形成された底部第２形成片折線３８を介して前記底部２２を形成する底部第２形成片２２Ｂが連続形成されている。
前記第１シート１４の他側には上下方向に向かって形成された第２側部シート折線４０を介して前記第２側部シート２０が連続形成されている。この第２側部シート２０の下部には左右方向に向かって形成された底部第３形成片折線４２を介して前記底部２２を形成する底部第３形成片２２Ｃが連続形成されている。
前記第２側部シート２０の他側には上下方向に向かって形成された第２シート折線４４を介して前記第２シート１６が連続形成されている。この第２シート１６は前記第１シート１４と同じ大きさで縦長の矩形状に形成されている。
この第２シート１６の上部には前記第２把手開口部２８を形成する略Ｕ字状の第２把手開口部形成スリット４６が形成されている。この第２把手開口部形成スリット４６の立上部４６Ａ，４６Ａは上下方向に向かって形成されている。また、立上部４６Ａの上端部と立上部４６Ａの上端部の間には第２把手開口部形成折線４８が左右方向に向かって形成されている。
前記第２シート１６の下部には左右方向に向かって形成された底部第４形成片折線５０を介して前記底部２２を形成する底部第４形成片２２Ｄが連続形成されている。
前記第２シート１６の他側には上下方向に向かって形成された第１側部シート第２形成片折線５２を介して第１側部シート第２形成片１８Ｂが連続形成されている。この第１側部シート第２形成片１８Ｂは前記第１側部シート第１形成片１８Ａと接着剤等の適宜接着手段で接着されて前記第１側部シート１８を形成するようになっている。
前記第１側部シート第２形成片１８Ｂの上部には左右方向に向かって切込５４が形成されている。
前記第２側部シート２０の上下方向中間部には左右方向に向かって第２側部シート切断ミシン目線５６が形成されている。
また、前記第１シート１４には第１シート切断ミシン目線６０が形成されている。この第１シート切断ミシン目線６０の一端部６０Ａは前記第１側部シート第１形成片１８Ａまで延設されている。第１シート切断ミシン目線６０の中間部６０Ｂは第１把手開口部形成スリット３０の下端部に沿って左右方向に向かって形成されると共に下方に向かって湾曲し前記第２側部シート折線４０に沿って形成されている。この第１シート切断ミシン目線６０の他端部６０Ｃは前記第２側部シート切断ミシン目線５６の一端部５６Ａまで延設されている。
また、前記第２シート１６には第２シート切断ミシン目線６２が形成されている。この第２シート切断ミシン目線６２の一端部６２Ａは前記切込５４まで延設されている。第２シート切断ミシン目線６２の中間部６２Ｂは第２把手開口部形成スリット４６の下端部に沿って左右方向に向かって形成されると共に下方に向かって湾曲し前記第２シート折線４４に沿って形成されている。この第２シート切断ミシン目線６２の他端部６２Ｃは前記第２側部シート切断ミシン目線５６の他端部５６Ｂまで延設されている。
従って、前記第２側部シート切断ミシン目線５６、第１シート切断ミシン目線６０、第２シート切断ミシン目線６２を切断することにより、図３に示されるように袋本体部１３の前記第２側部シート切断ミシン目線５６、前記第１シート切断ミシン目線６０、前記第２シート切断ミシン目線６２の上の部分を切断できるようになっている。
【０００９】
前記ファイルスタンドに利用可能な手提袋１０を製造する場合は前記紙１２を前記第１側部シート第１形成片折線３６、前記第２側部シート折線４０、前記第２シート折線４４、前記第１側部シート体第２形成片折線５２、を折り曲げて前記第１側部シート第１形成片１８Ａと第１側部シート第２形成片１８Ｂを接着剤で接着する。
また、前記底部第１形成片折線３４、前記底部第２形成片折線３８、前記底部第３形成片折線４２、前記底部第４形成片折線５０、を折り曲げて前記底部第１形成片２２Ａ，前記底部第２形成片２２Ｂ，前記底部第４形成片２２Ｃ，前記底部第４形成片２２Ｄで前記底部２２を形成し、袋本体部１３を形成してファイルスタンドに利用可能な手提袋１０を製造する。
このファイルスタンドに利用可能な手提袋１０を手提袋として使用する場合は、前記開口部２４を介して袋本体部１３にパンフレットやカタログ等を収容して使用できる。
なお、前記第１把手開口部形成折線３２を折り曲げて第１把手開口部２６を形成し、第２把手開口部形成折線４８を折り曲げて第２把手開口部２８を形成することにより、第１把手開口部２６、第２把手開口部２８に掌を入れることができるので、前記ファイルスタンドに利用可能な手提袋１０を携帯し易くすることができる。
【００１０】
前記ファイルスタンドに利用可能な手提袋１０をファイルスタンドとして使用する場合は、前記第２側部シート切断ミシン目線５６、第１シート切断ミシン目線６０、第２シート切断ミシン目線６２を切断することにより、前記第２側部シート切断ミシン目線５６、第１シート切断ミシン目線６０、第２シート切断ミシン目線６２の上の部分を切断する。
これにより、図３に示すようなファイルスタンドが形成されるので、袋本体部１３にクリアファイル等を収容することができる。
従って、本考案のファイルスタンドに利用可能な手提袋１０は手提袋として使用した後はファイルスタンドとして再利用できるので、製造された手提袋を廃棄処分することなく再利用できるので廃棄物が増大するのを抑えることができると共に資源の無駄を省いて資源の有効利用を図ることができる。
【００１１】
なお、実施例ではファイルスタンドに利用可能な手提袋１０を紙１２で形成したが、ファイルスタンドに利用可能な手提袋１０は紙１２以外の合成樹脂フィルムシート等の他の材料で形成してもよいことは勿論である。
また、実施例ではシート状の紙１２の外側面を無地にしたが、紙１２の外側面に企業名、企業広告等の文字を印刷したり、ファイルスタンドに利用可能な手提袋１０の外観品質を高めるためにデザイン模様や色彩等を印刷してもよいことは勿論である。
【産業上の利用可能性】
【００１２】
本考案のファイルスタンドに利用可能な手提袋は、クリアファイル等のファイル以外の物を立てる場合にも使用することができる。
【符号の説明】
【００１３】
１０    ファイルスタンドに利用可能な手提袋
１２    紙
１３    袋本体部
１４    第１シート
１６    第２シート
１８    第１側部シート
２０    第２側部シート
２２    底部
２４    開口部
２６    第１把手開口部
２８    第２把手開口部
３０    第１把手開口部形成スリット
３２    第１把手開口部形成折線
３４    底部第１形成片折線
３６    第１側部シート第１形成片折線
３８    底部第２形成片折線
４０    第２側部シート折線
４２    底部第３形成片折線
４４    第２シート折線
４６    第２把手開口部形成スリット
４８    第２把手開口部形成折線
５０    底部第４形成片折線
５２    第１側部シート第２形成片折線
５４    切込
５６    第２側部シート切断ミシン目線
６０    第１シート切断ミシン目線
６２    第２シート切断ミシン目線
【図１】
0003185015.tif 000003
【図２】
0003185015.tif 000004
【図３】
0003185015.tif 000005